(57)【要約】【課題】  ガイド部材を押圧部材から脱落することを防止し、かつ、記録紙を所定の位置に案内する案内機能を十分発揮させることができる給紙カセットを提供する。【解決手段】  記録紙５１を所定の位置に案内するサイドガイド１３ａを備えた給紙カセット１１であって、前記サイドガイド１３ａに設けられる当接体３１は、サイドガイド１３ａの記録紙５１に面する側に設けられる押圧部材３２と、前記サイドガイド１３ａに形成された係止孔２５に係止部３６が差し込まれることにより上部がサイドガイド１３ａに係止されるガイド部材３３とを備える。これにより、記録紙５１を給紙カセット１１に載置する際にガイド部材３３の上部に記録紙５１が引っ掛かりにくくなり、ガイド部材３３は押圧部材３２から脱落しにくく、かつ、記録紙５１を所定の位置に案内する案内機能を十分発揮することができる。【選択図】図４
2007254104.tif 000002
【特許請求の範囲】
【請求項１】
記録紙を所定の位置に案内する規制体を備えた給紙カセットであって、
前記規制体に設けられる当接体は、
規制体の記録紙に面する側に設けられ、載置された記録紙の端部を押圧する押圧部材と、
前記押圧部材と記録紙との間に介在し、少なくとも上部に係止部が形成され、前記規制体に形成された係止孔に前記係止部が差し込まれることにより、上部が規制体に係止されるガイド部材と、
を備えていることを特徴とする給紙カセット。
【請求項２】
規制体の上部に形成された係止孔に、ガイド部材の上部の係止部を係止することにより、ガイド部材の上部を記録紙の載置位置に対して外向きに湾曲させたことを特徴とする請求項１に記載の給紙カセット。
【請求項３】
ガイド部材の下部に係止部が形成され、規制体の下部に形成された係止孔に前記下部の係止部を係止することにより、ガイド部材の下部が規制体に係止されていることを特徴とする請求項１または２のいずれか１項に記載の給紙カセット。
【発明の詳細な説明】
【技術分野】
【０００１】
本発明は、ファクシミリ装置や、複写機等の画像形成装置の給紙カセットに関し、より詳しくは、給紙カセットに載置される記録紙を所定の位置に案内する規制体の技術に関する。
【背景技術】
【０００２】
従来、ファクシミリ装置や、複写機等の画像形成装置には給紙部が設けられている。前記給紙部の一部を構成する給紙カセットは、記録紙を載置するためのフラッパ、フラッパ上に載置された記録紙を１枚ずつ取り出して画像記録部へ供給するためのピックアップローラ、及び載置する記録紙の端部に当接して記録紙を所定の位置に案内し、端部位置を揃えるための規制体などから構成されている（例えば、特許文献１参照。）。
【０００３】
ところで、前記給紙カセットに載置される記録紙には、裁断の誤差等によって僅かながら寸法に誤差があり、また、温度や湿度等の環境によって寸法に変化が生じる。従って、規制体は、このような記録紙の寸法誤差や寸法変化を許容した上で、記録紙を所定の位置に案内し、端部位置を揃えることが必要である。このため、図１０、図１１に示すように、規制体６１に当接体６３を設けた給紙カセットが公知である。
【０００４】
上記従来の給紙カセットの当接体６３は、押圧部材６４とガイド部材６５とを有しており、押圧部材６４は、記録紙５１の端部が当接することによって弾性変形を生じるスポンジゴム等の素材から形成される部材である。押圧部材６４は、規制体６１の立設部６２であって、記録紙５１の端部に当接する側の面に設けられている。一方、ガイド部材６５は合成樹脂製の薄板状の部材であり、ガイド部材６５は前記押圧部材６４に貼着手段によって固定され、押圧部材６４とともに弾性変形するようになっている。ガイド部材６５の上部は、折り目を付け、記録紙５１に対して外向きに屈曲されており、上端部は自由端とされ、載置される記録紙５１を所定の位置に案内することができる形状に形成されている。
【０００５】
上記のように当接体６３を設けた給紙パレットに記録紙５１を載置すると、記録紙５１の端部はまずガイド部材６５の上部に当接し、ガイド部材６５の上部が可動することによって、記録紙５１は給紙パレットの所定の位置に案内される。そして、押圧部材６４とガイド部材６５が記録紙５１の寸法に応じて弾性変形することにより、記録紙５１の寸法誤差、寸法変化を吸収する。また、押圧部材６４とガイド部材６５の反発力により、記録紙５１の端部が押圧され、記録紙５１の端部は給紙カセット内の適切な位置に揃えられるのである。
【特許文献１】特開平１０−２９１６５５号公報
【発明の開示】
【発明が解決しようとする課題】
【０００６】
しかしながら、上記従来の給紙カセットでは、規制体６１に設けられた当接体６３のガイド部材６５は、上部が自由端とされているため、記録紙５１を給紙カセットに載置する際に、記録紙５１がガイド部材６５の自由端部に引っ掛かり、ガイド部材６５を押圧部材６４から剥離させ、脱落させてしまうことがあった。ガイド部材６５が脱落すると、記録紙５１を所定の位置に案内する案内機能が十分発揮されなくなる。
【０００７】
一方、ガイド部材６５が押圧部材６４から外れることを防止するために、ガイド部材６５の上端部を自由端とせずに押圧部材６４に固定すると、ガイド部材６５は押圧部材６４から剥離しにくくなるが、ガイド部材６５の上部の可動範囲が狭められてしまい、記録紙５１を所定の位置に案内する案内機能が十分発揮されなくなる。
【０００８】
本発明は前記の問題点に鑑みてなされたものであり、ガイド部材を押圧部材から脱落することを防止し、かつ、記録紙を所定の位置に案内する案内機能を十分発揮させることができる給紙カセットの提供を目的とする。
【課題を解決するための手段】
【０００９】
本発明の解決しようとする課題は以上の如くであり、次にこの課題を解決するための手段を説明する。
【００１０】
即ち、請求項１に記載の発明では、記録紙を所定の位置に案内する規制体を備えた給紙カセットであって、
前記規制体に設けられる当接体は、
規制体の記録紙に面する側に設けられ、載置された記録紙の端部を押圧する押圧部材と、
前記押圧部材と記録紙との間に介在し、少なくとも上部に係止部が形成され、前記規制体に形成された係止孔に前記係止部が差し込まれることにより、上部が規制体に係止されるガイド部材と、
を備えていることを特徴とする給紙カセットとした。
【００１１】
請求項２に記載の発明では、請求項１に記載の発明において、規制体の上部に形成された係止孔に、ガイド部材の上部の係止部を係止することにより、ガイド部材の上部を記録紙の載置位置に対して外向きに湾曲させた給紙カセットとした。
【００１２】
請求項３に記載の発明では、請求項１または２のいずれか１項に記載の発明において、ガイド部材の下部に係止部が形成され、規制体の下部に形成された係止孔に前記下部の係止部を係止することにより、ガイド部材の下部が規制体に係止されていることとした。
【発明の効果】
【００１３】
本発明の効果として、以下に示すような効果を奏する。
【００１４】
請求項１に記載の発明では、ガイド部材の上部を規制体に係止させたことにより、記録紙を給紙カセットに載置する際にガイド部材の上部に記録紙が引っ掛かりにくくなり、ガイド部材が押圧部材から剥離したり、脱落することを防止できる。また、ガイド部材の上部は、規制体に完全に固定されていないため、ガイド部材の上部の可動範囲は確保されており、ガイド部材は記録紙を所定の位置に案内することができる。このため、ガイド部材が押圧部材から脱落しにくく、かつ、記録紙を所定の位置に案内する案内機能を十分発揮する給紙カセットとすることができる。
【００１５】
請求項２に記載の発明では、規制体の上部に形成された係止孔に、ガイド部材の上部の係止部を係止することにより、ガイド部材の上部を記録紙の載置位置に対して外向きに湾曲させることとしたため、湾曲部によって記録紙を所定の位置に円滑に案内することができるとともに、ガイド部材の上部に折り目を付けて屈曲させる屈曲加工を行う手数を削減することができ、給紙カセットの組み立てが容易となる。
【００１６】
請求項３に記載の発明では、ガイド部材の下部に係止部が形成され、規制体の下部に形成された係止孔に前記下部の係止部を係止することにより、ガイド部材の下部が規制体に係止されていることとしたため、ガイド部材と押圧部材とを貼着手段等によって固定する工程が不要となり、給紙カセットの組み立てが容易となる。
【発明を実施するための最良の形態】
【００１７】
次に、発明の実施の形態について図を用いて説明する。
【実施例１】
【００１８】
本発明の実施例１に係る給紙カセット１１について、図を用いて説明する。図１は画像形成装置としての複合機（ファクシミリ、コピー、プリンタ機能の複合機）４１の斜視簡略図、図２は本発明の実施例１に係る給紙カセット１１の斜視簡略図、図３は給紙カセット１１の平面簡略図、図４は規制体としてのサイドガイド１３ａの斜視簡略図、図５は当接体３１の拡大斜視図、図６は図４の６−６線における断面図、図７は実施例２におけるサイドガイド１３ａの断面図、図８は実施例３における規制体の斜視図、図９は図７の９−９線における断面図である。
【００１９】
まず、本発明の給紙カセット１１が適用される画像形成装置としての複合機４１の概略構成について、図１に基づいて説明する。尚、以下の説明においては、複合機４１の装置全体の説明においては、図１に示すように、通常使用状態における上、下をそれぞれ上方、下方とする。また、給紙カセット１１の説明においては、図２の矢印Ａで示す給紙方向を前方とし、その反対方向を後方とし、通常使用状態における上、下をそれぞれ上方、下方とする。
【００２０】
前記複合機４１は、上方に画像読取部４２を配置し、画像読取部４２の下方に画像記録部４３を配置し、画像記録部４３の下方には給紙部４４を配置している。給紙部４４から画像記録部４３へ記録紙５１が供給され、画像記録部４３で記録紙５１に画像が記録された後、記録紙５１は記録紙排出トレイ４５へ排出される。
【００２１】
前記画像読取部４２においては、ケーシングに光源、ミラーを備えた走査体等からなる画像読取装置（図示せず）が収納されており、ケーシングの上面は透明の原稿載置面となっている。画像読取部４２の上方には、原稿押えカバー４６が配置されており、原稿押えカバー４６は一辺を中心として開閉可能に支持されている。また、前記原稿押えカバー４６の一端部には原稿を自動的に給紙する自動給紙装置（ＡＤＦ装置）４７が付設されている。自動給紙装置４７には原稿トレイ４９が設けられ、原稿押えカバー４６の上方には原稿排出トレイ４８が設けられている。
【００２２】
前記複合機４１は、走査体を走査させて静止原稿を読み取るフラットベッドタイプのスキャナとして用いる場合、原稿の内容の読み取りは、原稿載置面に原稿を載置して原稿押えカバー４６で原稿を上方から押え、画像読取部４２において、原稿を走査体により走査して原稿の内容を読み取る。一方、走査体を位置固定して原稿を搬送しながら読取りを行うシートフィードタイプのスキャナとして用いる場合、原稿の内容の読み取りは、原稿トレイ４９に載置された原稿を自動給紙装置４７により一枚ずつピックアップして搬送し、走査体は静止状態として搬送される原稿の内容を読み取る。読み取り後の原稿は原稿排出トレイ４８へ排出される。
【００２３】
次に給紙カセット１１について説明する。図１に示すように、給紙部４４には、複数の給紙カセット１１が引き出し自在に設けられている。給紙カセット１１は、内部に記録紙５１を載置した状態で給紙部４４に挿入されて、画像記録部４３へ記録紙５１を供給するためのものである。図２に示すように、給紙カセット１１は上面が全面的に開口されており、給紙カセット１１内部には記録紙５１を載置するためのフラッパ１２が回動自在に設けられている。また、図２、図３に示すように、規制体としてのサイドガイド１３ａ、１３ｂが給紙方向に対して左右に設けられており、規制体としてのエンドガイド１４が、給紙方向に対して後方に設けられている。サイドガイド１３ａ、１３ｂとエンドガイド１４は記録紙５１の端部を押圧して記録紙５１の位置決めを行うものであり、サイドガイド１３ａ、１３ｂとエンドガイド１４とで囲まれる位置が記録紙５１の載置位置となる。給紙方向に対して左右方向には、サイドガイド用レーン１５が形成されており、前記サイドガイド１３ａ、１３ｂがスライド自在に支持される。給紙方向に対して前後方向にはエンドガイド用レーン１６が形成されており、前記エンドガイド１４がスライド自在に支持される。また、給紙カセット１１の前方であって前記フラッパ１２の上方には、フラッパ１２上に載置された記録紙５１を１枚ずつ取り出して画像記録部４３へ供給するためのピックアップローラ１７が設けられる。
【００２４】
次に、前記サイドガイド１３ａについて詳しく説明する。サイドガイド１３ａは、サイドガイド１３ｂとともに記録紙５１の側端部に当接して記録紙５１を所定の位置に案内し、記録紙５１の位置決めを行い、側端部位置を揃えるためのものである。図４に示すように、サイドガイド１３ａは、基体２２と立設部２１及び当接体３１を有している。
【００２５】
図４に示すように、前記基体２２は、合成樹脂素材で形成された部材であって、サイドガイド用レーン１５にスライド自在に支持されるとともに、サイドガイド用レーン１５の内側部に係合して、サイドガイド１３ａの位置を固定するものである。基体２２には位置調節部２３が設けられており、位置調節部２３を手指でつまむことにより、サイドガイド用レーン１５の内側部に形成した歯部（図示せず）から爪部（図示せず）が外れて位置の固定が解除され、サイドガイド１３ａの左右位置の調節が可能となる。尚、サイドガイド１３ａと前記サイドガイド１３ｂは連動しており、サイドガイド１３ａを右方に移動させれば、サイドガイド１３ｂは左方に移動し、サイドガイド１３ａを左方に移動させれば、サイドガイド１３ｂは右方に移動する。サイドガイド１３ａを所望の位置に移動させた後は、つまんでいる力を解除すれば、爪部はサイドガイド用レーン１５の歯部に再び係合してサイドガイド１３ａが固定され、サイドガイド１３ａ及びサイドガイド１３ｂが給紙カセット１１に載置される記録紙５１の標準寸法に応じた位置に固定されるようになっている。
【００２６】
図４に示すように、前記立設部２１は、合成樹脂素材によって前記基体２２と一体的に形成される部分であって、基体２２に対して略垂直に形成されている部分である。記録紙５１に面する側、すなわち記録紙５１の端部に当接する側の面には、給紙方向（前後方向）に沿った三箇所に、上下方向を長手方向とする凹部２４が形成されている。凹部２４は当接体３１が取り付けられる部分である。凹部２４の高さは載置される記録紙５１の積層される厚みより高くし、凹部２４に取り付けられる当接体３１で記録紙５１の端部を押圧できるようにする。図６に示すように、凹部２４の上部には斜め上方に向けて傾斜面が形成され、傾斜面にはスリット状の係止孔２５が穿設されている。係止孔２５は後記ガイド部材３３の係止部３６が係止される部分である。
【００２７】
次に当接体３１について説明する。当接体３１は、給紙カセット１１に載置される記録紙５１の寸法誤差や寸法変化を許容した上で、記録紙５１を所定の位置に案内し、端部位置を揃える部分である。図５に示すように、当接体３１は、押圧部材３２とガイド部材３３とを有している。
【００２８】
前記押圧部材３２は、立設部２１の記録紙５１に面する側、すなわち記録紙５１の端部に当接する側の面に取り付けられ、載置された記録紙５１の端部を押圧して位置決めする部材である。図４、図５に示すように、押圧部材３２の形状は板状とし、幅は立設部２１に形成された凹部２４に嵌合しうる幅とし、厚みは凹部２４に貼設した場合に凹部２４から突出して記録紙５１を押圧しうる厚みとする。高さは載置される記録紙５１の積層される厚みより高く、かつ凹部２４の上下方向の高さよりやや低い高さとする。押圧部材３２の素材は、記録紙５１の端部が当接することによって弾性変形を生じる素材であればよく、例えば、発泡倍率が低く繰り返し変形に強いウレタンフォームからなるスポンジや、天然ゴム等を配合してなるスポンジゴム等を使用することができる。経年変化による弾性力の変化が少ない素材が好ましい。
【００２９】
前記ガイド部材３３は、図４、図５に示すように、前記押圧部材３２と記録紙５１との間に介在するように設けられ、載置される記録紙５１を所定の位置に案内する部材である。ガイド部材３３は厚さを０．２ｍｍ〜１ｍｍ程度とした合成樹脂製の薄板状の部材である。前記押圧部材３２と略同じ幅のガイド部材基体３４と、ガイド部材基体３４の両側部に延設される側縁部３５とからなる。図５に示すように、ガイド部材基体３４の上端部には係止部３６を形成しており、係止部３６の形状は上端部の両側を突出させて幅広部分を形成した形状である。ガイド部材基体３４の上部は、折り目を付けて斜めに屈曲加工して傾斜面を形成し、立設部２１に取り付けた状態で、記録紙５１の載置位置に対して外向き、すなわち給紙カセット１１の外側に向けて屈曲させた形状とする。側縁部３５も斜めに屈曲させ、ガイド部材３３の内側に貼設する当接部材の側面を覆うようにする。ガイド部材３３の素材としては、低摩擦性・非粘着性・耐磨耗性に優れた素材が好ましく、例えばテフロン（登録商標）を用いることができる。
【００３０】
次に当接体３１の立設部２１への取り付けについて説明する。まず、図５に示すように、当接体３１を構成する押圧部材３２をガイド部材３３の内側に両面テープ等の貼設手段により貼設する。図６に示すように、押圧部材３２の下端部とガイド部材３３の下端部の位置は合わせるものとする。次に当接体３１を立設部２１に取り付ける。当接体３１の立設部２１への取り付けは、まず立設部２１の凹部２４に対して押圧部材３２を貼設する。貼設は両面テープ等の貼設手段により行う。押圧部材３２の貼設位置は、押圧部材３２の下端部が凹部２４の最下部、すなわち立設部２１の付け根部分に当接するようにし、載置される記録紙５１の枚数が少ない場合でも記録紙５１の端部を確実に押圧できるようにする。続いて、ガイド部材３３の上部に形成した係止部３６を立設部２１の係止孔２５に係止させる。係止孔２５の開口幅は係止部３６の幅より狭くしておき、係止部３６に形成した幅広部分を変形させるようにして係止孔２５に係止部３６を差し込むことにより、係止部３６は係止孔２５の内側に係止され、ガイド部材３３の上部が係止孔２５に係止されて当接体３１が立設部２１へ取り付けられる。
【００３１】
上記のように構成した給紙カセット１１によれば、以下のような効果を奏する。
【００３２】
ガイド部材３３の上部に形成した係止部３６を立設部２１の係止孔２５に係止させたことにより、ガイド部材３３の上端部は自由端でなくなるため、記録紙５１を給紙カセット１１に載置する際にガイド部材３３の上部に記録紙５１が引っ掛かりにくくなる。このため、ガイド部材３３が押圧部材３２から剥離したり、脱落することを防止できる。また、記録紙５１が押圧部材３２に引っ掛かることによる押圧部材３２の損傷を防止することもできる。
【００３３】
ガイド部材３３の上部に形成した係止部３６を立設部２１の係止孔２５に係止させているため、ガイド部材３３の上部は立設部２１に係止されているが、完全に固定されておらず、ガイド部材３３の上部の可動範囲は確保されている。このため、ガイド部材３３の上部は記録紙５１が当接した際に自由に動くことができ、記録紙５１を所定の位置に案内することができる。
【００３４】
上記のようにガイド部材３３の係止部３６を立設部２１に係止孔２５に係止させたことにより、ガイド部材３３は押圧部材３２から脱落しにくく、かつ、記録紙５１を所定の位置に案内する案内機能を十分発揮することができる。
【実施例２】
【００３５】
次に本発明の実施例２について説明する。実施例２では、ガイド部材３３の上部を屈曲加工せず、弾性変形により自然に湾曲させている点が実施例１と大きく異なる。実施例１と同一部分には同一符号を付して詳しい説明は省略する。
【００３６】
まず、本実施例２に係るガイド部材３３の形状について説明する。図７に示すように、ガイド部材３３の上部には、実施例１と同様に、上端部の両側を突出させて幅広部分を形成した係止部３６を形成するが（図５参照。）、ガイド部材３３の上部には屈曲加工による折り目は付けず、自然状態のままとする。
【００３７】
前記ガイド部材３３を立設部２１へ取り付ける場合については、まず、実施例１と同様に、当接体３１を構成する押圧部材３２をガイド部材３３の内側に貼設した後、立設部２１の凹部２４に対して押圧部材３２を貼設する（図５参照。）。次に、ガイド部材３３の上部に形成した係止部３６を立設部２１の係止孔２５に係止させる。ガイド部材３３の上部は屈曲加工されておらず、自然状態のままであるので、図７に示すように、ガイド部材３３の弾力に抗して上部を記録紙の載置位置に対して外向きに湾曲させた形状、すなわち、給紙カセット１１の外側に向けて湾曲させた形状とし、その状態で係止部３６を係止孔２５に差し込む。係止部３６は係止孔２５の内側に係止され、ガイド部材３３の上部が弾性変形して、記録紙の載置位置に対して外向きに滑らかに湾曲した状態で立設部２１に取り付けられる。
【００３８】
以上説明したように、上記実施例２に係る給紙カセット１１によれば、ガイド部材３３の上部には屈曲加工による折り目は付けず、弾性変形させて滑らかに湾曲させることとしたため、記録紙５１を載置する場合に、湾曲部によって記録紙５１を所定の位置に円滑に案内することができる。また、ガイド部材３３の上部に折り目を付ける屈曲加工を行う必要がないため、屈曲加工を行う手数を削減することができ、給紙カセット１１の組み立てが容易となる。
【実施例３】
【００３９】
次に本発明の実施例３について説明する。実施例３では、ガイド部材３３の下部に係止部３７が形成され、ガイド部材３３の下部が基体２２に係止されている点が実施例１と大きく異なる。実施例１と同一部分には同一符号を付して詳しい説明は省略する。
【００４０】
まず、本実施例３に係るガイド部材３３の形状について説明する。ガイド部材３３の上部には、図８に示すように、上端部の両側を突出させて幅広部分を形成した係止部３６を形成する。また、ガイド部材３３の下部は、ガイド部材基体３４を下方に延出させるとともに、下端部の両側を突出させて幅広部分を形成した係止部３７を形成する。
【００４１】
次に基体２２について説明すると、基体２２には前記ガイド部材３３の下部に形成した係止部３７が係止される係止孔２６を形成する。基体２２に形成される係止孔２６は、図８に示すように、形状はスリット状であり、形成される位置は、立設部２１の付け根付近であって、押圧部材３２の下端部に隣接する位置とする。
【００４２】
次に前記ガイド部材３３を立設部２１へ取り付ける場合について説明する。実施例１とは異なり、押圧部材３２はガイド部材３３の内側に貼設する必要はなく、押圧部材３２を立設部２１の凹部２４に対して貼設する。そして、ガイド部材３３の上部に形成した係止部３６を立設部２１の係止孔２５に係止させ、次にガイド部材３３の下部に形成した係止部３７を基体２２の係止孔２６に係止させる。係止孔２６の開口幅は係止部３７の幅より狭くしておく。各係止部３６、３７に形成した幅広部分を変形させるようにして係止孔２５、２６に係止部３６、３７を差し込むことにより、各係止部３６、３７は各係止孔２５、２６の内側に係止される。ガイド部材３３の上部と下部は、各係止孔２５、２６に係止されて立設部２１と基体２２へ取り付けられるため、ガイド部材３３と押圧部材３２とを貼設する必要はなく、ガイド部材３３は立設部２１と基体２２とに確実に取り付けられる。
【００４３】
以上説明したように、上記実施例３に係る給紙カセット１１によれば、ガイド部材３３の上部及び下部に形成された係止部３６、３７を、立設部２１と基体２２に形成された係止孔２５、２６に係止することにより、ガイド部材３３を立設部２１と基体２２に係止させたため、ガイド部材３３と押圧部材３２とを貼着手段等によって固定する工程が不要となり、給紙カセット１１の組み立てが容易となる。
【００４４】
尚、本発明に係る給紙カセット１１は上記各実施例に限定されず、例えば以下のように変更することができる。
【００４５】
立設部２１の形状やガイド部材３３の形状は、上記実施例の形状に限定されない。例えば、ガイド部材３３の形状は押圧部材３２の正面（記録紙側の面）を被覆するような形状であればよい。
【００４６】
また、係止部３６の形状は各実施例で説明した形状に限定されず、係止孔２５に係止できる形状であればよい。また、係止孔２５の開口部の形状を、例えば上に凸又は下に凸の形状としてもよい。凸形状の係止孔２５の場合、係止孔２５の幅広部分から係止部３６を差し込み、係止孔２５の幅狭部分に移動させて係止部３６を係止してもよい。この場合、係止部３６の差し込みが容易であり、しかも係止部３６が係止孔２５から抜脱しにくい。これは係止孔２６と係止部３７についても同様である。
【００４７】
更に、本実施例では、規制部材としてのサイドガイド１３ａについて説明したが、サイドガイド１３ｂや、載置する記録紙５１の後端部に当接する規制部材としてのエンドガイド１４について本発明のようにすることもできる。
【図面の簡単な説明】
【００４８】
【図１】画像形成装置としての複合機４１の斜視簡略図。
【図２】本発明の実施例１に係る給紙カセット１１の斜視簡略図。
【図３】給紙カセット１１の平面簡略図。
【図４】規制体としてのサイドガイド１３ａの斜視簡略図。
【図５】当接体３１の拡大斜視図。
【図６】図４の６−６線における断面図。
【図７】実施例２におけるサイドガイド１３ａの断面図。
【図８】実施例３における規制体の斜視図。
【図９】図７の９−９線における断面図。
【図１０】従来の給紙カセットに係る規制体の斜視簡略図。
【図１１】図１０の１１−１１線における断面図。
【符号の説明】
【００４９】
１１    給紙カセット
１２    フラッパ
１３ａ、１３ｂ    規制体としてのサイドガイド
１４    規制体としてのエンドガイド
１５    サイドガイド用レーン
１６    エンドガイド用レーン
１７    ピックアップローラ
２１    立設部
２２    基体
２３    位置調節部
２４    凹部
２５、２６    係止孔
３１    当接体
３２    押圧部材
３３    ガイド部材
３４    ガイド部材基体
３５    側縁部
３６、３７    係止部
４１    画像形成装置としての複合機
４２    画像読取部
４３    画像記録部
４４    給紙部
４５    記録紙排出トレイ
４６    原稿押えカバー
４７    自動給紙装置
４８    原稿排出トレイ
４９    原稿トレイ
５１    記録紙
６１    規制体
６２    立設部
６３    当接体
６４    押圧部材
６５    ガイド部材
【図１】
2007254104.tif 000003
【図２】
2007254104.tif 000004
【図３】
2007254104.tif 000005
【図４】
2007254104.tif 000006
【図５】
2007254104.tif 000007
【図６】
2007254104.tif 000008
【図７】
2007254104.tif 000009
【図８】
2007254104.tif 000010
【図９】
2007254104.tif 000011
【図１０】
2007254104.tif 000012
【図１１】
2007254104.tif 000013